(57)【要約】【課題】本発明は、テスト効率が高い電源効率テスト装置を提供することを目的とする。【解決手段】本発明の電源効率テスト装置は、メインボード及び負荷回路を備え、メインボードは電源装置に接続されて、負荷回路に少なくとも１つの駆動電圧を供給し、前記負荷回路は、少なくとも１つの制御スイッチ、複数の制御回路及び複数の負荷抵坑を備え、各負荷抵坑は、１つの制御回路と駆動電圧との間に電気的に接続され、制御スイッチは、制御回路に電気的に接続されて、制御回路の導通或いは遮断を制御し、さらに負荷抵坑が導通される数量を制御して、電源装置の負荷総消費電力を調整する。【選択図】図２
2013186891.tif 000002
【特許請求の範囲】
【請求項１】
電源装置に負荷を提供して電源装置の電源の効率をテストする電源効率テスト装置において、
前記電源効率テスト装置は、メインボード及び負荷回路を備え、前記メインボードが前記電源装置に接続されて、前記負荷回路に少なくとも１つの駆動電圧を供給し、
前記負荷回路は、少なくとも１つの制御スイッチ、複数の制御回路及び複数の負荷抵坑を備え、
前記各負荷抵坑は、１つの制御回路と駆動電圧との間に電気的に接続され、
前記制御スイッチは、前記制御回路に電気的に接続されて、前記制御回路の導通或いは遮断を制御し、さらに前記負荷抵坑が導通される数量を制御して、前記電源装置の負荷総消費電力を調整することを特徴とする電源効率テスト装置。
【請求項２】
前記制御回路は、ＭＯＳＦＥＴ及びバイアス抵抗を備え、
前記ＭＯＳＦＥＴは、ゲート電極、ソース電極及びドレイン電極を備え、
前記ゲート電極は、前記バイアス抵抗を介してアースされ、且つ前記制御スイッチに電気的に接続され、
前記ソース電極はアースされ、
前記ドレイン電極は、前記負荷抵坑に電気的に接続されることを特徴とする請求項１に記載の電源効率テスト装置。
【請求項３】
前記制御スイッチは、第一端子、第二端子、第三端子、第四端子、第五端子及び第六端子を備え、
前記第一端子、前記第二端子及び前記第三端子は、全て別の駆動電圧に電気的に接続され、
前記第四端子、前記第五端子及び前記第六端子は、それぞれ対応するＭＯＳＦＥＴのゲート電極に電気的に接続されることを特徴とする請求項１又は２に記載の電源効率テスト装置。
【請求項４】
前記第一端子と前記第六端子、前記第二端子と前記第五端子、及び前記第三端子と前記第四端子は、それぞれ前記制御スイッチによって、導通或いは遮断されることを特徴とする請求項３に記載の電源効率テスト装置。
【請求項５】
前記第一端子と前記第六端子とが導通されると、前記第六端子に電気的に接続されたＭＯＳＦＥＴが導通され、
前記第一端子と前記第六端子とが遮断されると、前記第六端子に電気的に接続されたＭＯＳＦＥＴが遮断され、
前記第二端子と前記第五端子とが導通されると、前記第五端子に電気的に接続されたＭＯＳＦＥＴが導通され、
前記第二端子と前記第五端子とが遮断されると、前記第五端子に電気的に接続されたＭＯＳＦＥＴが遮断され、
前記第三端子と前記第四端子とが導通されると、前記第四端子に電気的に接続されたＭＯＳＦＥＴが導通され、
前記第三端子と前記第四端子とが遮断されると、前記第四端子に電気的に接続されたＭＯＳＦＥＴが遮断されることを特徴とする請求項４に記載の電源効率テスト装置。
【請求項６】
前記メインボードには、電源ポートが設けられ、
前記電源裝置は、前記電源ポートを介して前記メインボードに電気的に接続されることを特徴とする請求項１に記載の電源効率テスト装置。
【請求項７】
前記メインボードには、前記メインボードを起動させるための電源スイッチが設置され、
前記メインボードは、前記電源装置によって動作電圧を獲得することを特徴とする請求項６に記載の電源功効率テスト装置。
【発明の詳細な説明】
【技術分野】
【０００１】
本発明は、電源効率をテストする電源効率テスト装置に関するものである。
【背景技術】
【０００２】
電源装置は、パソコン、サーバ等電子装置に対して重要な装置であり、負荷に安定的な電流を供給する。電源装置を選択する際は、様々なパラメーター（例えば、電源装置の電圧範囲、電圧の周波数、出力電圧検出精度等）を考慮して、電源効率が安定した電源装置を選択する。一般的に、電源装置の電源効率をテストする際、負荷（例えば、消費電力が異なるメインボード）が異なる電源にそれぞれ電気的に接続して、この異なる負荷下での、電源装置の電源効率が給電要求を満たすかどうかをテストする。しかし、テスト過程において、電源装置が複数の異なる負荷と接続及び分離を繰り替えし行わなければならないため、操作が不便であり且つ多くの人力が必要である。
【発明の概要】
【発明が解決しようとする課題】
【０００３】
以上の問題点に鑑みて、本発明は、テスト効率が高い電源効率テスト装置を提供することを目的とする。
【課題を解決するための手段】
【０００４】
上記の課題を解決するために、本発明の電源効率テスト装置は、メインボード及び負荷回路を備え、前記メインボードが前記電源装置に接続されて、前記負荷回路に少なくとも１つの駆動電圧を供給し、前記負荷回路は、少なくとも１つの制御スイッチ、複数の制御回路及び複数の負荷抵坑を備え、各負荷抵坑は、１つの制御回路と駆動電圧との間に電気的に接続され、前記制御スイッチは、前記制御回路に電気的に接続されて、前記制御回路の導通或いは遮断を制御し、さらに前記負荷抵坑が導通される数量を制御して、前記電源装置の負荷総消費電力を調整する。
【発明の効果】
【０００５】
本発明の電源効率テスト装置は、制御スイッチによって、制御回路の導通或いは遮断を制御し、負荷抵坑が導通される数を制御して、電源装置の負荷総消費電力を調整する。これにより、電源装置の電源効率が給電要求を満たすかどうかをテストする際、制御スイッチをトグルして、電源装置の負荷総消費電力を変換させるだけで良いので、電源装置は、異なる負荷との接続及び分離を繰り替えさなくても良い。従って、テスト操作が簡単で、且つテスト効率が高い。
【図面の簡単な説明】
【０００６】
【図１】本発明に係る電源効率テスト装置のメインボードにおける機能モジュールの構造図である。
【図２】本発明に係る電源効率テスト装置の負荷回路の回路図である。
【発明を実施するための形態】
【０００７】
以下、図面に基づいて、本発明に係る電源効率テスト装置について詳細に説明する。
【０００８】
図１に示したように、本発明に係る電源効率テスト装置１００は、電源装置２００が異なる負荷に給電する際に、電源装置２００の動作状態が安定しているかどうかを検出して、電源装置２００の電源効率が給電要求を満たすかどうかを判断する。電源効率テスト装置１００は、パソコン、サーバ等の電子装置に設置することができ、電源装置２００は、これら電子装置に対して動作電圧を供給する。
【０００９】
図２を併せて参照すると、電源効率テスト装置１００は、メインボード１０及び該メインボード１０に設置された負荷回路３０を備える。メインボード１０には、電源接続ポート１２と、電源スイッチ１４と、複数の電子部品（図示せず）と、が設置されている。電源装置２００は、電源ポート１２によってメインボード１０に電気的に接続され、電源スイッチ１４は、メインボード１０を起動させて、メインボード１０が電源装置２００から動作電圧を獲得するようにし、且つ負荷回路３０に５ＶＳＢ（ｓｔａｎｄｂｙ）、５Ｖ、１２Ｖの駆動電圧を供給する。この際、５ＶＳＢの駆動電圧は、電子装置の待機電源として、電源装置２００とメインボード１０とが電気的に接続された際、５ＶＳＢの駆動電圧が生成される。また、５Ｖ、１２Ｖの駆動電圧は、電子装置の主電源として、電源スイッチ１４によってメインボード１０が駆動された際、５Ｖ、１２Ｖの駆動電圧が生成される。
【００１０】
本発明の実施形態において、負荷回路３０は、第一制御スイッチＳＷ１と、第二制御スイッチＳＷ２と、５つの制御回路３１−３５と、５つの負荷抵坑Ｒ１−Ｒ５と、を備える。負荷回路３０は、負荷抵坑Ｒ１−Ｒ５が導通される数量を変えることによって、電源装置２００の負荷総消費電力を調整する。第一制御スイッチＳＷ１は、制御回路３１−３３の中の少なくとも１つの回路を選択して導通させることに用いられる。本発明の実施形態において、第一制御スイッチＳＷ１は、６極３投のトグルスイッチであり、且つ第一端子Ｓ１と、第二端子Ｓ２と、第三端子Ｓ３と、第四端子Ｓ４と、第五端子Ｓ５と、第六端子Ｓ６と、を備える。第一端子Ｓ１と第六端子Ｓ６、第二端子Ｓ２と第五端子Ｓ５、第三端子Ｓ３と第四端子Ｓ４は、それぞれこのトグルスイッチによって導通或いは遮断される。第一端子Ｓ１、第二端子Ｓ２及び第三端子Ｓ３は、全てメインボード１０が供給する５Ｖの駆動電圧に電気的に接続され、第四端子Ｓ４は制御回路３３に電気的に接続され、第五端子Ｓ５は制御回路３２に電気的に接続され、第六端子Ｓ６は制御回路３１に電気的に接続されている。
【００１１】
第二制御スイッチＳＷ２は、制御回路３４−３５の中の少なくとも１つの回路を選択して導通させることに用いられる。本発明の実施形態において、第二制御スイッチＳＷ２は、６極３投のトグルスイッチであり、且つ第一端子Ｓ１と、第二端子Ｓ２と、第三端子Ｓ３と、第四端子Ｓ４と、第五端子Ｓ５と、第六端子Ｓ６と、を備える。第一端子Ｓ１と第六端子Ｓ６、第二端子Ｓ２と第五端子Ｓ５、第三端子Ｓ３と第四端子Ｓ４は、それぞれこのトグルスイッチによって導通或いは遮断される。第一端子Ｓ１及び第二端子Ｓ２は、全てメインボード１０が供給する５Ｖの駆動電圧と電気的に接続され、第五端子Ｓ５は制御回路３５に電気的に接続され、第六端子Ｓ６は制御回路３４に電気的に接続されている。
【００１２】
各制御回路（３１−３５）は、ＭＯＳＦＥＴ−Ｑ及びバイアス抵抗Ｒを備える。ＭＯＳＦＥＴ−Ｑは、８つのピンを持つＭＯＳＦＥＴであり、且つ電圧出力を微調整する機能を増強させる。ＭＯＳＦＥＴ−Ｑは、ゲート電極Ｇと、ソース電極Ｓと、ドレイン電極Ｄ１、Ｄ２、Ｄ３と、を備える。ゲート電極Ｇは、バイアス抵抗Ｒを介してアースされ、ソース電極Ｓは直接アースされ、且つ制御回路３１、３２、３３のＭＯＳＦＥＴ−Ｑのゲート電極Ｇは、それぞれ対応する第一制御スイッチＳＷ１の第六端子Ｓ６、第五端子Ｓ５及び第四端子Ｓ４に電気的に接続され、制御回路３４、３５のＭＯＳＦＥＴ−Ｑのゲート電極Ｇは、それぞれ対応する第二制御スイッチＳＷ２の第六端子Ｓ６及び第五端子Ｓ５に電気的に接続される。ドレイン電極Ｄ１、Ｄ２、Ｄ３は、互いに節点Ａに電気的に接続されている。制御回路３１−３５における節点Ａは、それぞれ対応する負荷抵坑Ｒ１−Ｒ５に電気的に接続される。
【００１３】
本実施形態において、負荷抵坑Ｒ１の抵坑値は５Ωであり、定格消費電力は約５０Ｗであり、且つ５ＶＳＢの駆動電圧と制御回路３１の節点Ａとの間に電気的に接続されている。負荷抵坑Ｒ２の抵坑値は３．８４Ωであり、定格消費電力は約５０Ｗであり、且つ１２Ｖの駆動電圧と制御回路３２の節点Ａとの間に電気的に接続されている。負荷抵坑Ｒ３の抵坑値は３．８４Ωであり、定格消費電力は約５０Ｗであり、且つ１２Ｖの駆動電圧と制御回路３３の節点Ａとの間に電気的に接続されている。負荷抵坑Ｒ４の抵坑値は２．８５Ωであり、定格消費電力は約５０Ｗであり、且つ１２Ｖの駆動電圧と制御回路３４の節点Ａとの間に電気的に接続されている。負荷抵坑Ｒ５の抵坑値は２．８３Ωであり、定格消費電力は約５０Ｗであり、且つ１２Ｖの駆動電圧と制御回路３５の節点Ａとの間に電気的に接続されている。
【００１４】
以下、電源効率テスト装置１００の動作原理について説明する。
【００１５】
電源装置２００の安定性をテストする際、先ず、電源装置２００を、電源ポート１２を介してメインボード１０に電気的に接続させて、メインボード１０が負荷回路３０に対して５ＶＳＢの駆動電圧を供給するようにする。次に、電源スイッチ１４を操作して、メインボード１０が負荷回路３０に対して５Ｖ、１２Ｖの駆動電圧を供給するようにする。次いで、電源装置２００の定格消費電力に基づいて、負荷抵坑Ｒ１−Ｒ５が導通される数量を選択する。例えば、電源装置２００の定格消費電力が約１６０Ｗである際、スイッチをトグルして、第一制御スイッチＳＷ１における第二端子Ｓ２と第五端子Ｓ５、及び第三端子Ｓ３と第四端子Ｓ４を導通させ、且つ第二制御スイッチＳＷ２における第一端子Ｓ１と第六端子Ｓ６を導通させる。この際、制御回路３２、３３及び３４における各ＭＯＳＦＥＴ−Ｑのゲート電極Ｇは高レベル電圧を受信して前記３つのＭＯＳＦＥＴ−Ｑが導通され、各節点Ａは低レベル電圧を出力する。このようにして、負荷抵坑Ｒ２、Ｒ３、Ｒ４が導通されて電流が流れる。負荷抵坑Ｒ２、Ｒ３、Ｒ４の最大総消費電力が１５０Ｗであり、この時、電源装置２００が正常に運行すると、電源装置２００の電源効率が１５０Ｗに達することができることを表す。これとは逆に、電源装置２００の電源効率が、現在の最大負荷総消費電力に達することができない場合、電源装置２００は自動的に遮断されて、電源装置２００の電源効率が１５０Ｗに達することができないことを表す。
【００１６】
同様に、電源装置２００の定格消費電力が約１２０Ｗである場合、スイッチをトグルして、第二制御スイッチＳＷ２における第一端子Ｓ１と第六端子Ｓ６、及び第二端子Ｓ２と第五端子Ｓ５を導通させる。この際、制御回路３４及び３５における各ＭＯＳＦＥＴ−Ｑが導通され、各節点Ａは低レベル電圧を出力する。負荷抵坑Ｒ４及びＲ５の最大総消費電力は１００Ｗであり、この時、電源装置２００が正常的に運行できると、電源装置２００の電源効率が１００Ｗに達することができることを表す。これとは逆に、電源装置２００の電源効率が、現在の最大負荷総消費電力に達することができない場合、電源装置２００の電源効率が１００Ｗに達することができないことを表す。
【００１７】
本実施形態において、５つの負荷抵坑Ｒ１−Ｒ５を設置することによって、この５つの負荷抵坑Ｒ１−Ｒ５の負荷の最大総消費電力の範囲は５０−２５０Ｗである。テストする際、第一制御スイッチＳＷ１及び／或いは第二制御スイッチＳＷ２を制御するだけで、負荷抵坑Ｒ１−Ｒ５が導通される数量を選択することができるため、定格消費電力が５０−２５０Ｗ間の電源装置２００をテストすることができる。
【００１８】
他の実施形態において、電源効率テスト装置１００の第一制御スイッチＳＷ１及び第二制御スイッチＳＷ２の中の１つを省略するか、或いは１０極５投のトグルスイッチに取り替えることもできる。同様に、第三制御スイッチ（図示せず）を増やして、１つの制御回路を独立的に制御することもできる。また、制御回路の数を増やす或いは減らすこともでき、これに対応して、負荷抵坑の数量も制御回路の数量に基づいて改変して、負荷総消費電力の範囲を調整することもできる。
【００１９】
本発明に係る電源効率テスト装置１００は、制御スイッチによって、制御回路の導通或いは遮断を制御し、負荷抵坑が導通される数を制御して、電源装置の負荷総消費電力を調整する。これにより、電源装置２００の電源効率が給電要求を満たすかどうかをテストする際、制御スイッチをトグルして、電源装置の負荷総消費電力を変換させるだけで良いので、電源装置は、異なる負荷との接続及び分離を繰り替えさなくても良い。従って、テスト操作が簡単であり、且つテスト効率が高い。
【符号の説明】
【００２０】
１００  電源効率テスト装置
１０  メインボード
１２  電源ポート
１４  電源スイッチ
３０  負荷回路
２００  電源装置
３１−３５  制御回路
Ｓ１  第一端子
Ｓ２  第二端子
Ｓ３  第三端子
Ｓ４  第四端子
Ｓ５  第五端子
Ｓ６  第六端子
Ｑ  ＭＯＳＦＥＴ
Ｇ  ゲート電極
Ｓ  ソース電極
Ｄ１、Ｄ２、Ｄ３  ドレイン電極
Ｒ  バイアス抵抗
Ｒ１−Ｒ５  負荷抵坑
【図１】
2013186891.tif 000003
【図２】
2013186891.tif 000004